(57)【特許請求の範囲】
【請求項１】
建物上層階の床梁材（１）・・に軽量床衝撃音低減用の防振吊り具（２）・・を介して吊り下げ支持した複数の第１野縁受け（３）・・と、床梁材（１）・・に吊り下げ支持することなく、前記第１野縁受け（３）・・に対して略平行に配設した複数の第２野縁受け（４）・・と、前記第１及び第２野縁受け（３）（４）・・に対して略直交するように、前記第１及び第２野縁受け（３）（４）・・の下側に取り付けた複数の野縁（５）・・と、これら野縁（５）・・の下側に取り付けた天井板（８）とを備え、前記第１及び第２野縁受け（３）（４）・・のうち前記第２野縁受け（４）・・のみに、重量床衝撃音低減用のダイナミックダンパー（３０）・・が予め組み込んであって、長さの異なる数種類の第２野縁受け（４）・・を、天井面の形状や大きさに応じて選択的に組み合わせながら配置したことを特徴とする建物の天井構造。
【請求項２】
前記第１及び第２野縁受け（３）（４）・・に対して略直交するように、建物内壁（６）に固定した壁際野縁（７）・・を備え、前記建物内壁（６）に対向する前記第１野縁受け（３）・・の端部を、前記壁際野縁（７）・・上に設置するとともに、前記建物内壁（６）に対向する前記第２野縁受け（４）・・の端部を、前記壁際野縁（７）・・に対して離間させるようにした請求項１記載の建物の天井構造。
【請求項３】
複数の前記第２野縁受け（４）・・をそれら端部間に隙間（Ｓ１）を確保しながら横一列に並べてなる複数の第２野縁受け列（４Ａ）・・を、前記第１野縁受け（３）・・に対して略直交する方向に間隔をあけて互いに略平行に配置するとともに、これら第２野縁受け列（４Ａ）・・における前記隙間（Ｓ１）・・を、前記第１野縁受け（３）・・に対して略直交する直線上に揃わないように千鳥状に配置した請求項１又は２記載の建物の天井構造。
【請求項４】
前記第２野縁受け（４）・・における前記ダイナミックダンパー（３０）・・を、前記第２野縁受け（４）・・と前記野縁（５）・・との交差部付近に配置した請求項１乃至３のいずれかに記載の建物の天井構造。
【請求項５】
前記第２野縁受け（４）・・の本数を調整して、前記ダイナミックダンパー（３０）・・の個数を増減させることで、重量床衝撃音に対する遮音性能を調整可能とした請求項１乃至４のいずれかに記載の建物の天井構造。
【請求項６】
前記ダイナミックダンパー（３０）は、質量体（３１）と弾性体（３２）とを組み合わせてなり、その弾性体（３２）によって質量体（３１）を弾性支持するようにして、前記第２野縁受け（４）にその高さ寸法内に収まるように水平方向に張り出した状態で装着した請求項１乃至５のいずれかに記載の建物の天井構造。
【発明の詳細な説明】
【技術分野】
【０００１】
この発明は、例えば住宅やマンション等の建物の天井構造に関する。
【背景技術】
【０００２】
従来より、住宅の上層階から下層階へ伝搬する床衝撃音を低減するにあたって、例えば上層階の床板や下層階の天井板の面密度を大きくするといった方法が採られている。しかしながら、この場合、多大な重量付加を伴って構造躯体に大きな負担をかけることになる。
【０００３】
そこで、構造躯体に大きな負担をかけることなく床衝撃音を低減するために、上層階の床梁に防振吊り具を介して天井下地材を吊り下げ支持したり（例えば、特許文献１参照）、また天井下地材にダイナミックダンパーを組み込む（例えば、特許文献２参照）といった各種対策が講じられている。
【先行技術文献】
【特許文献】
【０００４】
【特許文献１】実開平５−６１３１１号公報
【特許文献２】特開２００６−３４２５８０号公報
【発明の概要】
【発明が解決しようとする課題】
【０００５】
一般に、床衝撃音としては、物を落下したときや椅子等を引きずったとき等に発生する中高域周波数の振動に起因する軽量床衝撃音と、子供が走り回ったり飛び跳ねたとき等に発生する低域周波数の振動に起因する重量床衝撃音とがある。床衝撃音対策としては、これら軽量床衝撃音及び重量床衝撃音の双方を効果的に抑えることが要求されるが、上記のような対策では、軽量床衝撃音又は重量床衝撃音のいずれか一方に対してのみ有効であることが多く、このような要求に十分に答えることができなかった。
【０００６】
また、防振吊り具を用いた対策では、防振ゴム等の経年劣化に伴うクリープ変形量の増大により、下層階の天井板が撓み易くなって部分的な垂れ下がりが生じるといった不具合があった。ところが、このような天井板の部分的な垂れ下がりに対しては、ほとんど配慮されていなかった。
【０００７】
さらに、ダイナミックダンパーを用いた対策では、遮音性能を高めるために、比較的多くのダイナミックダンパーを天井全体に亘って分散配置させる必要がある。このため、例えば特許文献２に開示された構造においては、天井全体に亘って配置される比較的剛性の高い野縁受けを利用して、それら野縁受けにダイナミックダンパーを組み込むようにしている。この場合、複数のダイナミックダンパーを予め組み込んだ一定長の野縁受けを現場に搬入して、このダイナミックダンパー付きの野縁受けを、現場において天井面の形状や大きさに応じた長さに加工（カット調整）して施工することで、現場でのダイナミックダンパーの組み込み作業をなくして、施工性の向上を図るようにしていることが多い。ところが、このようにダイナミックダンパー付きの野縁受けを加工（カット調整）する場合、その切り落とした端材（余剰部分）は、他に使い道もなく、高価なダイナミックダンパーが組み込まれていても廃棄せざるを得ないことから、無駄が多くなって施工費や材料費の増大を招き易いといった不具合があった。しかも、合成ゴム製の弾性体と金属製の質量体を接着してなる再生困難なダイナミックダンパーを廃棄すれば、環境面でも好ましくないといった不具合があった。
【０００８】
この発明は、上記の不具合を解消して、軽量床衝撃音及び重量床衝撃音の双方を効果的に抑えることでき、しかも天井板の部分的な垂れ下がり等をなくした良好な施工状態を維持することができ、また材料の無駄を少なくして施工費の削減や環境への配慮も図ることができる建物の天井構造の提供を目的とする。
【課題を解決するための手段】
【０００９】
上記課題を解決するため、この発明の建物の天井構造は、建物上層階の床梁材１・・に軽量床衝撃音低減用の防振吊り具２・・を介して吊り下げ支持した複数の第１野縁受け３・・と、床梁材１・・に吊り下げ支持することなく、前記第１野縁受け３・・に対して略平行に配設した複数の第２野縁受け４・・と、前記第１及び第２野縁受け３、４・・に対して略直交するように、前記第１及び第２野縁受け３、４・・の下側に取り付けた複数の野縁５・・と、これら野縁５・・の下側に取り付けた天井板８とを備え、前記第１及び第２野縁受け３、４・・のうち前記第２野縁受け４・・のみに、重量床衝撃音低減用のダイナミックダンパー３０・・が予め組み込んであって、長さの異なる数種類の第２野縁受け４・・を、天井面の形状や大きさに応じて選択的に組み合わせながら配置したことを特徴とする。
【００１０】
また、前記第１及び第２野縁受け３、４・・に対して略直交するように、建物内壁６に固定した壁際野縁７・・を備え、前記建物内壁６に対向する前記第１野縁受け３・・の端部を、前記壁際野縁７・・上に設置するとともに、前記建物内壁６に対向する前記第２野縁受け４・・の端部を、前記壁際野縁７・・に対して離間させるようにしている。
【００１１】
さらに、複数の前記第２野縁受け４・・をそれら端部間に隙間Ｓ１を確保しながら横一列に並べてなる複数の第２野縁受け列４Ａ・・を、前記第１野縁受け３・・に対して略直交する方向に間隔をあけて互いに略平行に配置するとともに、これら第２野縁受け列４Ａ・・における前記隙間Ｓ１・・を、前記第１野縁受け３・・に対して略直交する直線上に揃わないように千鳥状に配置している。
【００１２】
さらにまた、前記第２野縁受け４・・における前記ダイナミックダンパー３０・・を、前記第２野縁受け４・・と前記野縁５・・との交差部付近に配置している。
【００１３】
また、前記第２野縁受け４・・の本数を調整して、前記ダイナミックダンパー３０・・の個数を増減させることで、重量床衝撃音に対する遮音性能を調整可能としている。
【００１４】
さらに、前記ダイナミックダンパー３０は、質量体３１と弾性体３２とを組み合わせてなり、その弾性体３２によって質量体３１を弾性支持するようにして、前記第２野縁受け４にその高さ寸法内に収まるように水平方向に張り出した状態で装着している。
【発明の効果】
【００１５】
この発明の天井構造においては、上層階から下層階へ伝搬する軽量床衝撃音を、防振吊り具によって重点的に低減することができるとともに、上層階から下層階へ伝搬する重量床衝撃音を、第２野縁受けに組み込んだダイナミックダンパーによって重点的に低減することができ、軽量床衝撃音及び重量床衝撃音の双方を効果的に抑えることができる。
【００１６】
しかも、床梁材に吊り下げ支持した一般的な第１野縁受けに加えて、床梁材に吊り下げ支持することのない第２野縁受けを別途設けていることから、天井板の下地部分の剛性を高めることができる。これにより、天井板の撓みを抑えることができ、防振吊り具を使用して軽量床衝撃音対策を講じているにもかかわらず、これら防振吊り具における防振ゴムのクリープ変形に起因する天井板の部分的な垂れ下がりを防止して、良好な施工状態を長期に亘って維持することができる。
【００１７】
さらに、現場での加工（カット調整）を余儀なくされる第１野縁受けには、ダイナミックダンパーをあえて組み込まないようにして、第２野縁受けのみにダイナミックダンパーを予め組み込むようにしており、これら第２野縁受けについては、長さの異なる数種類のものを天井面の形状や大きさに応じて選択的に組み合わせながら配置することで、現場での加工（カット調整）を極力なくすようにしているので、高価で再生困難なダイナミックダンパーを廃棄せずに済み、施工費や材料費の削減を図ることができるとともに、環境面にも配慮することができる。
【００１８】
また、第２野縁受けの組み合わせ配置に際して、建物内壁に対向する第２野縁受けの端部を、壁際野縁に対して離間した状態で配置して、第２野縁受けの端部と壁際野縁との間に隙間を確保している。さらには、各第２野縁受け列において、横一列に並べた第２野縁受けの端部間に隙間を確保している。これにより、上層階から下層階へ床衝撃音が伝搬するときに、振動する第２野縁受けと壁際野縁との干渉、振動する第２野縁受けの端部同士の干渉をなくして、擦れ音等の異音の発生を防止することができ、床衝撃音対策だけでなく、異音対策にも十分に配慮することができる。しかも、このような隙間を確保することで、第２野縁受けの配置に際して融通が利くようになり、多少の寸法誤差や施工誤差が生じていても、第２野縁受けを支障なく配設することができ、施工性の向上を図ることができる。
【００１９】
さらに、各第２野縁受け列において、横一列に並べた第２野縁受けの端部間に隙間を設けることで、各第２野縁受け列の中間部分において欠損が生じることになるが（第２野縁受けの連続性が損なわれることになるが）、これら第２野縁受け列の隙間を、第１野縁受けに対して略直交する直線上に揃わないように千鳥状に分散配置しているので、天井板が直線上に沿って撓み易くなるといった不具合を防止することができる。
【００２０】
また、第２野縁受けと野縁との交差部付近は、剛性が高くしかも天井全体に亘って分配配置されており、このような交差部付近に第２野縁受けに組み込んだダイナミックダンパーを配置することで、ダイナミックダンパーによる重量床衝撃音の低減効果を天井全体に亘って効果的に利かすことができ、重量床衝撃音に対する遮音性能をより一層向上することができる。
【００２１】
さらに、床梁材に吊り下げ支持した第１野縁受けをそのままにして、吊り下げ支持していない施工自由度の高い第２野縁受けの本数を調整することで、ダイナミックダンパーの設置個数を増減させて、重量床衝撃音に対する遮音性能を調整可能としているので、大幅な設計変更等を伴うことなく、遮音性能を簡単に調整することができる。
【００２２】
さらにまた、ダイナミックダンパーを、第２野縁受けにその高さ寸法内に収まるように水平方向に張り出した状態で装着することで、床下空間における配管や断熱材等の施工に際して、ダイナミックダンパーが邪魔にならないようにすることができる。
【図面の簡単な説明】
【００２３】
【図１】この発明の一実施形態に係る建物の天井構造の要部斜視図である。
【図２】同じくその部分拡大斜視図である。
【図３】同じくその概略平面図である。
【図４】同じくその壁際部分を示す概略平面図である。
【図５】同じくその防振吊り具付近の縦断面図である。
【図６】同じくその防振吊り具付近の正面図である。
【図７】同じくその第２野縁受けのダンパー装着部分の分解斜視図である。
【図８】同じくその第２野縁受けの種類を示す図である。
【図９】同じくその野縁の取付部分の分解斜視図である。
【図１０】同じくその第１野縁受けの端部付近の縦断面図である。
【図１１】同じくその第２野縁受けの端部付近の斜視図である。
【図１２】同じくそのランナー付近の縦断面図である。
【発明を実施するための形態】
【００２４】
以下、この発明の実施形態を図面に基づいて詳細に説明する。この発明の一実施形態に係る天井構造は、例えば軽量鉄骨系の戸建て住宅に適用されている。この天井構造は、図１乃至図４に示すように、上層階の床梁材１・・に軽量床衝撃音低減用の複数の防振吊り具２・・を介して吊り下げ支持されて、互いに略平行に配された複数の第１野縁受け３・・と、床梁材１・・に吊り下げ支持されることなく、第１野縁受け３・・に対して略平行に配設された複数の第２野縁受け４・・と、これら第１及び第２野縁受け３、４・・に対して略直交するように、第１及び第２野縁受け３、４・・の下側に取り付けられた複数の野縁５・・と、第１及び第２野縁受け３、４・・に対して略直交するように、建物内壁６に固定された複数の壁際野縁７・・と、これら野縁５・・及び壁際野縁７・・の下側に取り付けられた石膏ボード等からなる天井板８とを備えている。
【００２５】
なお、図において、床梁材１・・としては、Ｈ形鋼からなる床梁が使用されているが、床梁間に差し渡した溝形鋼からなる梁つなぎであっても良い。また、天井板８としては、２枚の石膏ボードを重ね張りしたものが使用されている。
【００２６】
防振吊り具２は、図２、図５及び図６に示すように、床梁材１に装着される梁装着部材１０と、この梁装着部材１０に取り付けられた圧縮型の防振ゴム１１と、この防振ゴム１１に貫通支持されて、第１野縁受け３に連結される吊りボルト１２とを備えている。
【００２７】
梁装着部材１０は、鋼板を折曲形成してなり、開放部分が上向きとなった略溝形状に形成されている。そして、その底面部１５が防振ゴム１１を装着する装着部とされ、底面部１５の両側端から立ち上がった一対の側面部１６、１６が床梁材１に係合する係合部とされている。
【００２８】
側面部１６、１６には、嵌合溝１６ａ、１６ａが横向きに夫々形成されており、これら嵌合溝１６ａ、１６ａに床梁材１の下フランジ１ａを嵌め込むようにして、側面部１６、１６が床梁材１に係合される。そして、この係合状態において、底面部１５にねじ込んだ固定ボルト１７の先端を下フランジ１ａの下面に押し付けることで、梁装着部材１０が床梁材１に装着されるようになっている。
【００２９】
防振ゴム１１は、略中央部を括れさせた略円筒状のゴム体を上下の鋼製プレートによって挟み込んだ構造となっていて、梁装着部材１０の側面部１６、１６間において底面部１５上から立ち上がるようにして装着されている。
【００３０】
吊りボルト１２は、その上端部にカシメナット１８が螺合された状態で、防振ゴム１１及び梁装着部材１０の底面部１５を上下方向に貫通している。なお、カシメナット１８は、防振ゴム１１の上側プレートに回転可能に係合されるようになっている。
【００３１】
そして、吊りボルト１２の下端部は、後述する第１野縁受け３の上側フランジ２０を上下方向に貫通している。この吊りボルト１２の下端部には、上下一対のナット１９、１９が螺合され、これらナット１９、１９を締め付けて第１野縁受け３の上側フランジ２０を挟み込むことで、吊りボルト１２の下端部に第１野縁受け３が取り付けられている。
【００３２】
第１野縁受け３は、図２及び図５に示すように、開放部分を側方へ向けるように配置された溝形鋼からなり、上下一対のフランジ２０、２０と、それらフランジ２０、２０の長手方向に沿った一端部同士を連結するウエブ２１とを備えている。第１野縁受け３・・としては、比較的長尺な一種類が用意されており、現場において天井面の形状や大きさに応じた長さに加工（カット調整）して使用されている。
【００３３】
第２野縁受け４は、図２及び図７に示すように、開放部分を側方へ向けるように配置された溝形鋼からなり、上下一対のフランジ２０、２０と、それらフランジ２０、２０の長手方向に沿った一端部同士を連結するウエブ２１とを備え、ウエブ２１には複数のボルト挿通用孔２１ａ・・が長手方向に適宜間隔をあけて形成されている。そして、第２野縁受け４には、第１野縁受け３には組み込まれていない複数の重量床衝撃音低減用のダイナミックダンパー３０・・が予め組み込まれている。
【００３４】
ダイナミックダンパー３０は、略直方体状に形成された例えば金属製の質量体３１と、この質量体３１よりも一回り小さな略直方体状に形成された例えば合成ゴム製の弾性体３２とを接着一体化してなり、弾性体３２における質量体３１側とは反対側の側面には、一対のボルト挿通用孔３３ａ、３３ａを有する装着板３３が取り付けられている。
【００３５】
そして、ダイナミックダンパー３０は、その装着板３３を第２野縁受け４のウエブ２１に当接させて、互いに一致するボルト挿通用孔２１ａ、３３ａ・・に挿通したボルト３４、３４にナット３５、３５を螺合して締め付けることにより、弾性体３２によって質量体３１を弾性支持するようにして、剛性の高い第２野縁受け４のウエブ２１に、その高さ寸法内に収まるように水平方向に張り出した状態で装着されている。これにより、床下空間における配管や断熱材等の施工に際して、ダイナミックダンパー３０が邪魔になり難くなっている。なお、ダイナミックダンパー３０は、例えば重量床衝撃音遮断性能を向上させるために６３Ｈｚ帯域の振動に同調して振動するようにチューニングされている。
【００３６】
上記のようなダイナミックダンパー３０・・付きの第２野縁受け４・・としては、長さの異なる数種類のものが予め用意されている。具体的には、図８に示すように、６個〜１２個のダイナミックダンパー３０・・を夫々組み込んだ７種類のものが予め用意され、それらの各長さは、短いものから順に例えば約１８７０ｍｍ、約２２００ｍｍ、約２５３０ｍｍ、約２８７０ｍｍ、約３２００ｍｍ、約３５３０ｍｍ、約３８７０ｍｍとされている。なお、すべての種類の第２野縁受け４・・において、ダイナミックダンパー３０・・は長手方向に野縁の割付間隔となる約３３３ｍｍの間隔をあけて装着されており、両端部分に位置するダイナミックダンパー３０、３０から野縁受け両端面までの距離がいずれも約１００ｍｍとされている。
【００３７】
そして、このような長さの異なる数種類（具体的には７種類）の第２野縁受け４・・を、天井面の形状や大きさに応じて選択的に組み合わせながら配置している。これにより、第２野縁受け４・・に対する現場での加工（カット調整）を極力なくすようにして、高価で再生困難なダイナミックダンパー３０・・を廃棄せずに済むようにしている。
【００３８】
この組み合わせ配置に際しては、特に天井面の幅寸法（対向する建物内壁６、６間の距離）が、図８（ｇ）に示す第２野縁受け４（最も長い第２野縁受け）の長さを大幅に上回っている場合には、図１及び図３に示すように、複数の第２野縁受け４、４を横一列に並べることで、天井面の幅寸法に見合った長さに調整している。例えば、天井面の幅寸法が約６２５０ｍｍのときには、図８（ｃ）に示す第２野縁受け４と図８（ｅ）に示す第２野縁受け４を横一列に並べたり、図８（ｄ）に示す第２野縁受け４を２本使用してこれらを横一列に並べるようにしている。
【００３９】
そして、このように複数の第２野縁受け４、４を横一列に並べるにあたって、第２野縁受け４、４の端部間には隙間Ｓ１を確保している。これにより、第２野縁受け４、４の配置に際して融通が利くようになり、多少の寸法誤差や施工誤差が生じていても、第２野縁受け４、４を支障なく配設することができる。しかも、上層階から下層階へ床衝撃音が伝搬するときに、振動する第２野縁受け４、４の端部同士の干渉をなくして、これら端部同士が擦れ合うことによる擦れ音の発生を防止することができる。
【００４０】
また、第２野縁受け４、４を横一列に並べてなる複数の第２野縁受け列４Ａ・・は、図１及び図３に示すように、第１野縁受け３・・に対して略直交する方向に略等間隔をあけて互いに略平行に配置されるが、この場合、各第２野縁受け列４Ａの中間部分において、隙間Ｓ１すなわち強度的に弱い欠損部分が生じることになる。そこで、これら第２野縁受け列４Ａ・・における隙間Ｓ１・・を、第１野縁受け３・・に対して略直交する直線（図３の一点鎖線で示す線）上に揃わないように千鳥状に配置して、強度的に弱い欠損部分を分散させることで、天井板８に撓みを生じさせるような剛性低下を招くことがないようにしている。なお、間仕切り壁の直上位置近傍において隙間Ｓ１・・を千鳥状に配置させるようにすれば、剛性低下を確実に抑えることができる。
【００４１】
さらに、第２野縁受け４・・は、床梁材１・・に吊り下げ支持されておらず、構造上支障をきたすことなく、比較的容易に増設したり、取り除いたりすることができることから、このような施工自由度の高い第２野縁受け４・・の本数を適宜調整することで、ダイナミックダンパー３０・・の設置個数を増減させて、重量床衝撃音に対する遮音性能を簡単に調整可能としている。
【００４２】
なお、第１及び第２野縁受け３、４・・のうち第２野縁受け４・・のみに、重量床衝撃音低減用のダイナミックダンパー３０・・が予め組み込んであって、第１野縁受け３・・には組み込まないようにしたのは、以下の理由による。すなわち、床梁材１・・に吊り下げ支持されて、天井荷重を支える第１野縁受け３・・は、天井面の端から端まで１本で連続していることが良好な剛性を確保する上で好ましい。このため、第１野縁受け３・・の施工に際しては、比較的長尺なものを用意して、天井面の形状や大きさに応じて加工（カット調整）することが一般的になされている。従って、このような現場での加工（カット調整）を余儀なくされる第１野縁受け３・・に対しては、ダイナミックダンパー３０・・をあえて組み込まないようにして、加工（カット調整）に伴うダイナミックダンパー３０・・の廃棄をなくすようにしている。なお、このように第１野縁受け３・・に対してダイナミックダンパー３０・・を組み込まなくても、第１野縁受け３・・は第２野縁受け４・・に比べて本数が極端に少ないことから、重量床衝撃音に対する遮音性能に支障をきたすことはない。
【００４３】
野縁５は、図５及び図９に示すように、例えば断面略ロ字状の鋼製筒材からなり、その側面片４０、４０にはその長手方向に沿って係止溝４１、４１が夫々形成されている。この野縁５は、複数の野縁支持具５０・・を介して第１及び第２野縁受け３、４・・の下側に跨って取り付けられている。
【００４４】
野縁支持具５０は、図５及び図９に示すように、上面部５１と、この上面部５１の両側端から延出した一対の側面部５２、５２とによって下向きの略コ字状に形成され、その上面部５１には、一対の係合片５３、５３が形成されており、側面部５２、５２には、係止爪５４、５４が夫々形成されている。
【００４５】
そして、野縁支持具５０は、係合片５３、５３を第１野縁受け３や第２野縁受け４の下側フランジ２０に係合させることで、第１野縁受け３や第２野縁受け４に取り付けられている。また、野縁支持具５０の側面部５２、５２間に野縁５の上部を差し入れて、係止爪５４、５４を野縁５の係止溝４１、４１に係合させることで、野縁５が支持されている。
【００４６】
壁際野縁７は、図１０に示すように、例えば断面略ロ字状の鋼製筒材からなり、野縁５と同様の構造となっている。この壁際野縁７は、側面片４０、４０を横方向に貫通する複数のビス５５、５５によって建物内壁６に固定されて、野縁５・・に対して略平行に配されている。
【００４７】
そして、建物内壁６に固定された壁際野縁７上には、建物内壁６に対向する第１野縁受け３・・の端部が設置されている。具体的には、第１野縁受け３・・の端部の下側フランジ２０・・に、例えば発泡樹脂製又はゴム製の平板状の緩衝材２２が接着剤等によって予め貼り付けられていて、第１野縁受け３・・の端部は、建物内壁６に対して縁切りされた状態で、壁際野縁７の上面に緩衝材２２を介在させながら載置されている。これにより、上層階から下層階へ床衝撃音が伝搬するときに、振動する第１野縁受け３・・が建物内壁６に干渉することによって生じる衝突音、振動する第１野縁受け３・・が建物内壁６に固定した壁際野縁７と擦れ合うことによる擦れ音の発生を防止することができる。なお、第１野縁受け３・・の端部は、このように緩衝材２２を介して壁際野縁７上に設置するだけでなく、上記の野縁支持具５０を使用して壁際野縁７上に設置しても良い。
【００４８】
一方、建物内壁６に対向する第２野縁受け４・・の端部は、図４及び図１１に示すように、壁際野縁７に対して離間した状態で配置されて、第２野縁受け４・・の端部と壁際野縁７との間には隙間Ｓ２・・が確保されている。これにより、第２野縁受け４・・の配置に際して融通が利くようになり、多少の寸法誤差や施工誤差が生じていても、第２野縁受け４・・を支障なく配設することができる。しかも、上層階から下層階へ床衝撃音が伝搬するときに、振動する第２野縁受け４・・が建物内壁６に干渉することによって生じる衝突音、さらには振動する第２野縁受け４・・が建物内壁６に固定した壁際野縁７と擦れ合うことによる擦れ音の発生を防止することができる。
【００４９】
なお、野縁５・・及び壁際野縁７・・の端部は、図１１及び図１２に示すように、野縁５・・及び壁際野縁７・・に対して略直交するように、建物内壁６にビス６０・・止めされた断面コ字状の溝形鋼からなるランナー６１に固定されている。具体的には、ランナー６１の室内側に開放する溝部に、野縁５・・及び壁際野縁７・・の端部が差し込まれた状態で、ランナー６１に野縁５・・及び壁際野縁７・・の端部がビス６２・・止めされている。
【００５０】
上記の天井構造においては、軽量床衝撃音低減用の防振吊り具２・・を介して吊り下げ支持された複数の第１野縁受け３・・と、重量床衝撃音低減用のダイナミックダンパー３０・・を予め組み込んだ複数の第２野縁受け４・・と、複数の野縁５・・とが格子状に組み付けられて、天井板８の下地部分が構成されている。従って、上層階から下層階へ伝搬する軽量床衝撃音を、防振吊り具２・・によって重点的に低減することができるとともに、上層階から下層階へ伝搬する重量床衝撃音を、ダイナミックダンパー３０・・によって重点的に低減することができ、軽量床衝撃音及び重量床衝撃音の双方を効果的に抑えることができる。
【００５１】
しかも、第２野縁受け４・・と野縁５・・との各交差部付近に、第２野縁受け４・・に組み込んだダイナミックダンパー３０・・が配置されている。各交差部付近は、剛性が高くしかも天井全体に亘って分配配置されており、このような各交差部付近にダイナミックダンパー３０・・を配置することで、ダイナミックダンパー３０・・による重量床衝撃音の低減効果を天井全体に亘って効果的に利かすことができ、重量床衝撃音に対する遮音性能をより一層向上することができる。
【００５２】
以上に、この発明の実施形態について説明したが、この発明は、上記実施形態に限定されるものではなく、この発明の範囲内で種々変更して実施することが可能である。例えば、この発明の天井構造は、新築の戸建て住宅に適用するだけでなく、リフォーム時における床衝撃音対策として既設の戸建て住宅に適用しても良い。また、軽量鉄骨系の戸建て住宅だけでなく、木造住宅やＲＣ造の建物に適用しても良い。
【符号の説明】
【００５３】
１・・床梁材、２・・防振吊り具、３・・第１野縁受け、４・・第２野縁受け、４Ａ・・第２野縁受け列、５・・野縁、６・・建物内壁、７・・壁際野縁、８・・天井板、３０・・ダイナミックダンパー、３１・・質量体、３２・・弾性体、Ｓ１・・隙間
【図１】
0005445862.tif 000002
【図２】
0005445862.tif 000003
【図３】
0005445862.tif 000004
【図４】
0005445862.tif 000005
【図５】
0005445862.tif 000006
【図６】
0005445862.tif 000007
【図７】
0005445862.tif 000008
【図８】
0005445862.tif 000009
【図９】
0005445862.tif 000010
【図１０】
0005445862.tif 000011
【図１１】
0005445862.tif 000012
【図１２】
0005445862.tif 000013